(57)【要約】      （修正有）【課題】運動などにより、圧力を支持する部分が移動することを防ぐ半浮遊型膝パットを提供する。【解決手段】膝パット本体部と、幅広の平ゴムの支持部と、それらを繋ぐため、膝パット本体部の上と左右斜めに３箇所で縫われた繋ぎの平ゴムとで成る。繋ぎの平ゴムと支持部の幅広平ゴムとの対応する位置で軽く緩めて繋ぎ、支持部の幅広の平ゴムの先端と、繋ぎの平ゴムの繋いだ箇所にマジックテープ（登録商標）を縫いつけ、上部を軽く浮遊様状態にして、下部をしっかり接続する。【選択図】図１
0003155721.tif 000002
【実用新案登録請求の範囲】
【請求項１】
服の外から、或いは膝に直接着用する膝パットの上下左右を開放して、支持する膝上でのゴム製サポートとを弾力性ある平ゴム等で繋ぎ、膝パット上半分が自由自在に動くようにブラブラの状態を維持させて、激しい動きに因る歪んだ圧力や、膝の屈伸で受ける追随移動作用にも、膝パットを支える支持部がズレることなく、元の状態に自動的に戻るよう対応させることができるようにした半浮遊型膝パットの提供。
【請求項２】
請求項１に準じて、膝パットの内部には、膝の負担や支持する部分への衝撃をできる限り軽減させる必要性から、クッション性、保温性、軽さ、を満足させ得る素材として、ビニールやポリ等によって空気を閉じ込める層を形成したものを、更に厚地のビニールや布地等で袋状に閉じたものを選択する半浮遊型膝パットの提供。
【考案の詳細な説明】
【技術分野】
【０００１】園芸、スポーツ、工事、その他の膝を付く全ての作業や、膝に衝撃を受ける可能性のある全ての運動等動作範囲。
【背景技術】
【０００２】運動時や作業時の膝に受ける負担は非常に大きく、膝で体重を支える場面が結構ある、それが負担となって、やがては膝内に水が溜まるなどの弊害で現れたり、直接地面や床板などに膝を置く場合、柔軟性がない場所であるだけに、痛くもあり、傷付けたりもする、内外部が変形したりもし易いし、お年寄りが膝の痛みを堪えて歩いている場面を目にする時が多い、健康生活上も問題となって、人々の膝を大事にする機運が生まれている。
【考案の開示】
【考案が解決しようとする課題】
【０００３】固定一体化されたパットであると動作の邪魔となり、動作の制約を受けると共に作業効率も阻害され、屈伸動作も固定化されてロボット的になり、結局、動作抑圧弊害のために使用を断念してしまう例が多い。【０００４】パット部の重さに比べて、それを支持しなければならないマジックテープ等が貧弱であるために、支えきれず落下また、解けたり、パット部が痛む前に支持するためのマジックテープ等が先に痛んでしまい、劣化時間に相違が見られて不都合。【０００５】激しい運動や激しい作業などの使用動作を繰り返す場合、屈伸に耐えられるようにするには、支持部とパット部が一体型の物では、パットが受ける各所への歪みある圧力や衝撃、或いは屈伸作用が、そのまま支持部に伝わってしまって、歪み圧力の緩和減少にもならず、そのために支持部がその動きに耐えられず、位置を変えて移動してしまうことになる。支持部分と、パット部分では、そのまま押されるだけではなく、別の作用に変化するとみなければならない。
【課題を解決するための手段】
【０００６】歪み圧力や衝撃や屈伸を、緩和減少変更させてやる必要がパット部分にはあり、そのためにはパット部と支持部とを、伸縮性あるゴム等でほどほどの遊びを持って繋ぎ、歪み圧力、衝撃が支持部に伝わるのを防ぎ、緩和させる、ゴムにはそれなりの負荷が掛かるが、遊びの余裕とゴム自体の適応性で、支持部への悪影響を軽減させることができる半浮遊型膝パット。【０００７】パット部がどんなにさまざまな衝撃や歪んだ位置への圧力を受けても、その圧力を支持部に伝えないようにすることが肝要である。また、それをするためには、ズボン、スラックス、ジャージー等の着用生地上を良く滑るようにパット部裏面を滑り易い生地で縫合した半浮遊型膝パット。【０００８】支持部は、パット部からの圧力や衝撃をゴムの緩和の仕組みを介していれば、そのまま圧力や衝撃を受ける事はないが、更に摩擦係数を上げるために、腿の部分で支える支持部分の幅を広くして、尚且つ滑り止め用のネット布地を裏面に使用する半浮遊型膝パット。【０００９】パット部自体の重量を最小に軽減すれば、支持部への歪み圧力も自動的に軽減されるし、人が脳で感じる負担感も和らぐ半浮遊型膝パット
【考案の効果】
【００１０】パット部と全部の支持部とをゴムで連結、パット部の受ける衝撃をゴムによる伸縮によって緩和もするし、運動や作業に於いて膝の動作が自由自在になって、負担が軽減されて阻害もされなくなる。【００１１】パット部とそれを支持する上支持部とを最小の繋がりだけで別々にしてやれば、浮遊型パットの受ける作業や屈伸からくる歪み圧力が、ゴムだけの接続であるから、当然に減少して歪み圧力を分散することが出来、最小圧力に緩和されて支持部に伝わることとなり、大きな歪み圧力の影響を上支持部が受けることはない、また、歪み圧力が緩和すると、半浮遊型パットはゴムの力でまた元の位置に戻り、上支持部はその位置のまま保持される。【００１２】パット部の重量が軽くなることで、ほとんど脳に存在を意識させずにすみ、快適に運動や作業をすることができる。
【考案を実施するための最良の形態】
【００１３】１、パット表面には厚めのビニール等滑り易く、また丈夫な素材で被膜し、あらゆる衝撃から保護する。【００１４】２、パット部裏面には、やや滑りやすく、且つ、膝に負担の掛からない柔らかな素材の生地で保護する。【００１５】３、パット部内部には、膝の負担を精一杯クリアするためにクッション性、復元性、保温性、軽さなどを考慮した、空気を閉じ込めた層を形成する方式の素材を使用する。【００１６】４、上部支持部にはサポーターゴムを使用して、裏地には更に滑り止め布地を付ける。【００１７】５、左右下支持部にはサポーターゴムを使用しつつ、パット位置のズレ防止を図る目的で、膝の真後ろで上の支持部から伸びてくるゴムと布用マジックで交差させ繋げる。【００１８】６、全部の支持部とパット部とを平ゴム等で接合する。
【図面の簡単な説明】
【００１９】
【図１】半浮遊型膝パットを着けた膝の側面図
【図２】半浮遊型膝パットを着けた膝の正面図
【図３】半浮遊型膝パットの裏面図
【符号の説明】
【００２０】  図１、図２、共通。図３も共通ですが、５、を特筆。
１、パット部
２、上支持部
３、左右下支持部
４、上支持部とパットとを連結するゴム
５、それぞれの上からと左右下からの支持部から伸びたゴムの左右を布用マジックで膝の脇にて繋げる。
【図１】
0003155721.tif 000003
【図２】
0003155721.tif 000004
【図３】
0003155721.tif 000005
【手続補正書】
【提出日】平成21年3月12日(2009.3.12)
【手続補正１】
【補正対象書類名】実用新案登録請求の範囲
【補正対象項目名】全文
【補正方法】変更
【補正の内容】
【実用新案登録請求の範囲】
【請求項１】
服の上から、又は膝に直接着用する膝衝撃吸収パットであり、膝の受ける衝撃をカバーする楕円袋状の膝パット本体部と、人の太股周囲から膝関節の後ろ側までを一巻きする幅広のサポーター平ゴム（裏地に布製滑り止めを縫合）で支持する支持部とで成り、本体部と支持部とを弾力性ある平ゴムで、上左右斜めの五箇所をそれぞれ縫い付けることによって、本体部と支持部とが一体化せずに余裕ある遊びが生まれて、使用時にパット本体部の受ける歪んだ衝撃がそのまま支持部に伝わらないようにさせる事を得、膝屈伸で受ける追随移動作用や激しい動作に因る膝パットの上下左右へのずれ込みの影響を軽減し、また、全面浮遊型では膝パット自体の固定安定性を損なうので、復元が容易く出来るように対応させた半浮遊型膝パット。
【請求項２】
請求項１で記載した楕円形の膝パットの内部には、膝の負担や支持するサポーター平ゴムの支持部への衝撃を出来るだけ軽減、緩和させる必要性から、クッション性、保温性、復元性、軽さを備えたビニールやポリエチレン等の気密性の高い素材で空気を閉じ込め、数枚を使用して層を形成したものを、更に厚地のビニールや皮を表地に、布を裏地に、楕円袋状にして閉じた半浮遊型膝パット。
【手続補正書】
【提出日】平成21年5月29日(2009.5.29)
【手続補正１】
【補正対象書類名】実用新案登録請求の範囲
【補正対象項目名】全文
【補正方法】変更
【補正の内容】
【実用新案登録請求の範囲】
【請求項１】
作業時や運動時に衝撃から膝を保護する目的を持って、服の上から、或いは直接着用するものとしての膝パットがあるが、膝は使用頻度が激しい関節部位であるために、なかなかパットの位置を安定させる事ができない、本考案は、膝パットの重さによって、支持するゴムサポートの消耗を早めたり、激しい使用によって落下移動を繰り返す事になってしまい、調整しなおす煩わしさや、パット自体のクッション性や復元性の無さ、等を改良すべく工夫したものであり、膝パットが受ける各種の激しい変形した圧力や衝撃や擦りに因るイビツなよじれ、変形、また膝自体の屈伸に因る追随移動作用の力を、そのまま支持部材のゴムサポートに与えないように軽減させる方法として、膝パットから直接太股にゴムサポートで着けるのではなく、独立させた別個のゴムサポート製の太目の支持部材を太股に回して、膝パットの上部と左右部の間隔を開けた部分部分にやや柔らかい伸縮性あるゴム素材を使ってその支持部材とパットとを軽く縫合して繋げば、そのゴム素材の余裕ある遊び部分で、膝パットが各種の激しい動作圧力を受けても衝撃を分散させる事ができ、支持サポートにまで及ばず、支持部材の位置移動も起こらずに、従って膝パットの位置も安定する事になり、復元性も得られるであろう、しかしながら、上下左右周囲全部をそのように宙ぶらりんにしてしまうと、今度は膝位置の安定感が損なわれるために下部は固定した方が良く、当然に作業時は伸縮ゴムに与えられる負荷は激しいものになるであろうから、それなりの耐久性と、バランスの取れた膝パットの軽量化は不可欠となる半浮遊型膝パット。
【手続補正２】
【補正対象書類名】明細書
【補正対象項目名】０００４
【補正方法】変更
【補正の内容】
【０００４】パット部の重さに比べて、それを支持しなければならない布製接続テープ等が貧弱であるために、支えきれず落下また、解けたり、パット部が痛む前に支持するための布製接続テープ等が先に痛んでしまい、劣化時間に相違が見られて不都合。
【手続補正３】
【補正対象書類名】明細書
【補正対象項目名】００１７
【補正方法】変更
【補正の内容】
【００１７】５、左右下支持部にはサポーターゴムを使用しつつ、パット位置のズレ防止を図る目的で、膝の真後ろで上の支持部から伸びてくるゴムと布製接続テープで交差させ繋げる。
【手続補正４】
【補正対象書類名】明細書
【補正対象項目名】００２０
【補正方法】変更
【補正の内容】
【００２０】図１、図２、共通。図３も共通ですが、５、を特筆。１、パット部２、上支持部３、左右下支持部４、上支持部とパットとを連結するゴム５、それぞれの上からと左右下からの支持部から伸びたゴムの左右を布製接続テープで膝の脇にて繋げる。
【手続補正書】
【提出日】平成21年9月2日(2009.9.2)
【手続補正１】
【補正対象書類名】実用新案登録請求の範囲
【補正対象項目名】全文
【補正方法】変更
【補正の内容】
【実用新案登録請求の範囲】
【請求項１】
本考案品は、膝パットの本体部と、それを支持する太股を一回りさせる幅広の平ゴムの支持部と、それらを繋ぐための平ゴムとで成り、膝パットは、人の膝にスッポリと収まる任意の形で作られ、膝パット本体部の上と左右斜めに３箇所で縫われた平ゴムと支持部の幅広平ゴムとの対応する位置で軽く緩めて繋ぎ、支持部の幅広の平ゴムには、先端にマジックテープ（商標登録）を縫いつけ、又、本体部の左下部からの繋ぎの平ゴムと同じく、一本の平ゴムに延長して膝の裏を回し、先端にマジックテープ（商標登録）を縫いつけておく、更に，本体部右下部からの繋ぎの平ゴムの繋いだ箇所にマジックテープ（商標登録）を縫いつけ、左から膝裏を通って延長された繋ぎの平ゴムのマジックテープ（商標登録）同士で合わされ、これが膝の真裏を通ってくるために、上にも下にも移動がし難く、又、太股を回す支持部の幅広平ゴムも、本体部からくる繋ぎの平ゴムを緩く遊びを付けて接続しているので、本体膝パットからくる各種の衝撃を緩和させることができ、これは上部を軽く浮遊様状態にして、下部をしっかり繋ぎの平ゴムとマジックテープ（商標登録）で接続した半浮遊型膝パット。